(57)【特許請求の範囲】
【請求項１】
通信設備に用いられる通信設備シングルボード（１０）であって、
前記通信設備シングルボードのコネクタには、固定位置（１１）と第１接触位置（１２）が設置され、前記固定位置（１１）の電圧レベルと前記第１接触位置（１２）の電圧レベルとが異なり、
前記固定位置（１１）は、導電性弾性シートの内側の一方端（２１）を固定接続し、前記導電性弾性シートの外側には、絶縁被覆層が設けられ、前記導電性弾性シートは、力を受けたときに変形することができ、力を受けずに元の状態に復元することができ、
前記固定位置（１１）が前記導電性弾性シートの内側の一方端（２１）を固定接続し、且つ前記通信設備シングルボードのコネクタと対応する通信設備のコネクタとの嵌合隙間が所定閾値範囲に属するときに、前記導電性弾性シートの内側の他方端（２２）は、前記第１接触位置（１２）に接触し、
前記通信設備シングルボードが前記通信設備に挿入されたとき、前記導電性弾性シートが力を受けることによって、前記導電性弾性シートの前記他方端（２２）は、前記第１接触位置（１２）に徐々に近づき、
前記嵌合隙間が前記所定閾値範囲よりも大きい場合、前記導電性弾性シートの前記他方端（２２）と前記第１接触位置（１２）とは接触しないことを特徴とする通信設備シングルボード。
【請求項２】
前記通信設備シングルボードのコネクタには、第２接触位置（１３）が更に設置され、前記第２接触位置（１３）の電圧レベルと前記固定位置（１１）の電圧レベルとが異なり、
前記固定位置（１１）が前記導電性弾性シートの内側の一方端（２１）を固定接続し、且つ前記通信設備シングルボードのコネクタと対応する通信設備のコネクタとの嵌合隙間が前記所定閾値範囲の上限値より大きいときに、前記導電性弾性シートの内側の他方端（２２）は、前記第２接触位置（１３）に接触することを特徴とする請求項１に記載の通信設備シングルボード。
【請求項３】
前記通信設備シングルボードのコネクタには、第３接触位置（１４）が更に設置され、前記第３接触位置（１４）の電圧レベルと前記固定位置（１１）の電圧レベルとが異なり、
前記固定位置（１１）が前記導電性弾性シートの内側の一方端（２１）を固定接続し、且つ前記通信設備シングルボードのコネクタと対応する通信設備のコネクタとの嵌合隙間が前記所定閾値範囲の下限値より小さいときに、前記導電性弾性シートの内側の他方端（２２）は、前記第３接触位置（１４）に接触することを特徴とする請求項１または２に記載の通信設備シングルボード。
【請求項４】
論理チップ（１５）を更に備え、
前記論理チップ（１５）は、前記第１接触位置（１２）に接続され、前記第１接触位置（１２）の電圧レベル状態変化を検出し、対応する電圧レベル変化信号を生成することを特徴とする請求項１に記載の通信設備シングルボード。
【請求項５】
前記固定位置（１１）は、所定電源に接続され、前記第１接触位置（１２）は、接地され、
前記論理チップ（１５）は、前記第１接触位置（１２）に接続され、
前記論理チップ（１５）は、前記第１接触位置（１２）の電圧レベルが低電圧レベルから高電圧レベルに変化したと検出したときに、第１電圧レベル変化信号を生成し、
前記論理チップ（１５）は、前記第１接触位置（１２）の電圧レベルが高電圧レベルから低電圧レベルに変化したと検出したときに、第２電圧レベル変化信号を生成することを特徴とする請求項４に記載の通信設備シングルボード。
【請求項６】
前記固定位置（１１）は、接地され、前記第１接触位置（１２）は、所定電源に接続され、
前記論理チップ（１５）は、前記第１接触位置（１２）に接続され、
前記論理チップ（１５）は、前記第１接触位置（１２）の電圧レベルが高電圧レベルから低電圧レベルに変化したと検出したときに、第３電圧レベル変化信号を生成し、
前記論理チップ（１５）は、前記第１接触位置（１２）の電圧レベルが低電圧レベルから高電圧レベルに変化したと検出したときに、第４電圧レベル変化信号を生成することを特徴とする請求項４に記載の通信設備シングルボード。
【請求項７】
前記論理チップ（１５）は、更に、生成された電圧レベル変化信号を出力することを特徴とする請求項４に記載の通信設備シングルボード。
【請求項８】
請求項１から７の何れか一項に記載の通信設備シングルボードを備える通信設備。
【発明の詳細な説明】
【背景技術】
【０００１】
関連出願の相互引用
本願は、出願日が２０１７年９月２６日であり、出願番号が２０１７１０８８２７８２．Ｘであり、発明名称が「通信設備シングルボードおよび通信設備」である中国特許出願の優先権を主張し、当該出願の全文が引用により本願に組み込まれる。
【０００２】
筐体型カード挿抜設備とは、モジュール化設計された筐体を採用し、各モジュール（例えば、サービスボード、メイン制御ボード、ファブリックボード、ファン、電源）を独立させるものを指す。モジュール間の信号がコネクタを介して繋がり、モジュール同士が構造部材を介して固定されることにより、１つのシステムは構成される。
【０００３】
筐体型カード挿抜設備では、モジュールの回路板がトレイ構造を有するハンドルバーに固定されている。ハンドルバーにおけるレバーによって、ハンドルバーを締め付けたり引き抜いたりすることができる。モジュールが何れも挿抜可能なものであるため、筐体型カード挿抜設備のモジュールの配置がより柔軟であり、筐体型カード挿抜設備がモジュールの余剰をサポートでき、モジュールの修理とメンテナンスも容易である。
【０００４】
従来の筐体型カード挿抜設備の組立方式は、ハンドルバーを締め付け、且つ構造部材の外側でネジ締めすることにより、モジュール間の嵌合隙間が要求に合致することを確保させる。
【図面の簡単な説明】
【０００５】
【図１】本発明の実施例に係る通信設備シングルボードの模式図である。
【図２】本発明の実施例に係る導電性弾性シートの模式図である。
【図３Ａ】実施例一における通信設備シングルボードの模式図と回路図である。
【図３Ｂ】実施例一における通信設備シングルボードの模式図と回路図である。
【図３Ｃ】実施例一における通信設備シングルボードの模式図と回路図である。
【図３Ｄ】実施例一における通信設備シングルボードの模式図と回路図である。
【図３Ｅ】実施例一における通信設備シングルボードの模式図と回路図である。
【図４Ａ】実施例二における通信設備シングルボードの模式図と回路図である。
【図４Ｂ】実施例二における通信設備シングルボードの模式図と回路図である。
【図４Ｃ】実施例二における通信設備シングルボードの模式図と回路図である。
【図４Ｄ】実施例二における通信設備シングルボードの模式図と回路図である。
【図４Ｅ】実施例二における通信設備シングルボードの模式図と回路図である。
【図５Ａ】実施例三における通信設備シングルボードの模式図と回路図である。
【図５Ｂ】実施例三における通信設備シングルボードの模式図と回路図である。
【図５Ｃ】実施例三における通信設備シングルボードの模式図と回路図である。
【図５Ｄ】実施例三における通信設備シングルボードの模式図と回路図である。
【図５Ｅ】実施例三における通信設備シングルボードの模式図と回路図である。
【図５Ｆ】実施例三における通信設備シングルボードの模式図と回路図である。
【図５Ｇ】実施例三における通信設備シングルボードの模式図と回路図である。
【図６Ａ】実施例四における通信設備シングルボードの模式図と回路図である。
【図６Ｂ】実施例四における通信設備シングルボードの模式図と回路図である。
【図６Ｃ】実施例四における通信設備シングルボードの模式図と回路図である。
【図６Ｄ】実施例四における通信設備シングルボードの模式図と回路図である。
【図６Ｅ】実施例四における通信設備シングルボードの模式図と回路図である。
【図６Ｆ】実施例四における通信設備シングルボードの模式図と回路図である。
【図６Ｇ】実施例四における通信設備シングルボードの模式図と回路図である。
【発明を実施するための形態】
【０００６】
本発明の実施例における技術案がより良好に当業者に理解され、且つ、本発明の実施例の上記目的、特徴とメリットがより明瞭になるように、以下では、図面を組み合わせて本発明の実施例における技術案について更に詳細に説明する。
【０００７】
従来の筐体型カード挿抜設備の組み立て方式は、モジュール間の実の接続位置（即ち、モジュール間のコネクタの所）が筐体内部に存在するため、外部から観察するだけで、モジュール間の嵌合隙間が設計要求範囲に入っているか否かを正確に判断するのは、非常に困難である。これに鑑みて、本発明は、当該技術課題の解決に向けて、通信設備シングルボードおよび通信設備を提出する。
【０００８】
図１は、本発明の実施例に係る通信設備シングルボードの模式図である。当該通信設備シングルボードは、通信設備に適用する。図１に示すように、当該通信設備シングルボード１０のコネクタには、固定位置１１と接触位置１２が設置され、当該固定位置１１と接触位置１２とのレベルは、異なる。
【０００９】
固定位置１１は、導電性弾性シート２０の内側（即ち、通信設備シングルボード１０に近接する側）の一方端２１を固定接続する。当該導電性弾性シート２０の外側（即ち、通信設備シングルボード１０から離れた側）には、絶縁被覆層が設けられている。
【００１０】
固定位置１１が導電性弾性シート２０の内側の一方端２１を固定接続し、且つ通信設備シングルボード１０のコネクタと筐体型設備における対応するコネクタとの嵌合隙間が所定閾値範囲に属するときに、導電性弾性シート２０の内側の他方端２２は、接触位置１２に接触する。
【００１１】
本発明の実施例では、固定位置１１と接触位置１２とのレベルが異なるため、導電性弾性シート２０の内側の一方端２１が固定位置１１を固定接続し、且つ導電性弾性シート２０の内側の他方端２２が接触位置１２に接触したときに、固定位置１１又は接触位置１２のレベル変化を引き起こせる。したがって、固定位置１１または接触位置１２のレベル変化を検出することにより、導電性弾性シート２０の内側の他方端２２が接触位置１２に接触するか否かを特定でき、更に、通信設備シングルボード１０のコネクタと通信設備における対応するコネクタとの嵌合隙間が所定閾値範囲に属するか否かを特定できる。
【００１２】
通信設備シングルボード１０のコネクタが通信設備における対応するコネクタに正常に接続されたときに、即ち、通信設備シングルボード１０が正常に挿入されたときに、通信設備シングルボード１０のコネクタと通信設備における対応するコネクタとの嵌合隙間は、所定閾値範囲に属する。
【００１３】
図２は、本発明の実施例に係る導電性弾性シートの模式図である。当該導電性弾性シート２０は、金属導電材質であってもよく、且つ当該導電性弾性シート２０の外側には、絶縁被覆層が設けられ、当該導電性弾性シート２０は、力を受けたときに変形し、力を受けていないときに元に戻る。
【００１４】
それ相応に、導電性弾性シート２０の絶縁被覆層が設けられていない内側の導電の一方端２１を通信設備シングルボード１０のコネクタの固定位置１１に固定接続することにより、通信設備シングルボード１０が通信設備に挿入されたときに、通信設備シングルボード１０のコネクタと通信設備における対応するコネクタとの嵌め合いがきつくなるにつれて、導電性弾性シート２０は、力を受けて延長し、導電性弾性シート２０の内側の他方端２２が通信設備シングルボード１０のコネクタに接触する位置も変化する。通信設備シングルボード１０が正常に挿入されたときに、即ち、通信設備シングルボード１０のコネクタと、通信設備における対応するコネクタとの嵌合隙間が所定閾値範囲に達したときに、導電性弾性シート２０の内側の他方端２２は、通信設備シングルボード１０のコネクタの接触位置１２に接触する。
【００１５】
本発明の実施例に係る技術案がより良好に当業者に理解されるように、以下では、具体的な実例を組み合わせて本発明の実施例に係る技術案について説明する。
【００１６】
実施例一
図３Ａは、本発明の実施例に係る通信設備シングルボードの構造模式図である。図３Ａに示すように、図２に示す通信設備シングルボードを基に、当該通信設備シングルボード１０は、論理チップ１５を更に含んでもよい。
【００１７】
当該論理チップ１５は、接触位置１２に接続され、接触位置１２のレベル状態変化を検出し、対応するレベル変化信号を生成する。
【００１８】
当該実施例の中の１つの実施形態では、その動作原理の回路図は、図３Ｂに示される。通信設備シングルボード１０のコネクタの固定位置１１は、接地され、接触位置１２は、所定電源に接続されている。
【００１９】
説明すべきことは、本発明の実施例において、特別説明しない限り、言及された接地が、何れも抵抗器を介して接地することを意味し、電源に接続されることが、何れも抵抗器を介して電源に接続することを意味する。本発明の実施例では、後で繰り返し説明しない。
【００２０】
当該実施形態では、通信設備シングルボード１０のコネクタが通信設備における対応するコネクタに接続されていないときに、導電性弾性シート２０の内側の他方端２２は、通信設備シングルボード１０のコネクタの接触位置１２以外の領域に接触し（当該領域は、固定位置１１と接触位置１２の間に位置する）、その際、論理チップ１５によって検出された接触位置１２のレベルは、高レベルである。
【００２１】
通信設備シングルボード１０が通信設備に挿入され、通信設備シングルボード１０のコネクタと通信設備における対応するコネクタとの接続が徐々に緊密になるときに、導電性弾性シート２０の内側の他方端２２は、導電性弾性シート２０の受力によって接触位置１２へ徐々に近接する。通信設備シングルボード１０のコネクタと通信設備における対応するコネクタとが正常に接続されたときに、即ち、通信設備シングルボード１０のコネクタと通信設備における対応するコネクタとの嵌合隙間が所定閾値範囲に達したときに、導電性弾性シート２０の内側の他方端２２は、接触位置１２に接触し、接触位置１２は、固定位置１１に正常に接続する。その模式図は、図３Ｃに示されてもよい。その際、論理チップ１５は、接触位置１２の電圧が高レベルから低レベルに変化して低レベル状態に維持されると検出する。その回路図が図３Ｄに示されてもよい。
【００２２】
論理チップ１５は、接触位置１２の電圧が高レベルから低レベルに変化したと検出したときに、対応するレベル変化信号（本文では、第１レベル変化信号と呼ばれる）を生成してもよい。ユーザ（例えば、管理者）は、当該第１レベル変化信号に基づいて、通信設備シングルボード１０の正常挿入を特定する。
【００２３】
説明すべきことは、通信設備シングルボード１０の挿入の過程中に、論理チップ１５で生成された第１レベル変化信号がずっと検出されなかった場合に、挿入の異常が発生したと特定でき、その際、実際の状況に応じて対応する処理措置を行ってもよい。
【００２４】
当該実施形態では、通信設備シングルボード１０が正常動作状態において引き抜かれた（人為的動作または障害）ときに、導電性弾性シート２０の内側の他方端２２の、通信設備シングルボード１０のコネクタに接触する領域は、徐々に接触位置１２から離れて固定位置１１へ近接する。通信設備シングルボード１０が引き抜かれるとともに、通信設備シングルボード１０のコネクタと通信設備における対応するコネクタとは、徐々に分離し、両者の嵌合隙間は、段々に大きくなる。通信設備１０のコネクタと通信設備における対応するコネクタとの嵌合隙間が所定閾値範囲の上限値を超えたときに、導電性弾性シート２０の内側の他方端２２は、接触位置１２に接触しなくなり、接触位置１２は、固定位置１１から切り離れる。その際、論理チップ１５は、接触位置１２の電圧が低レベルから高レベルに変化して高レベル状態に維持されると検出する。
【００２５】
論理チップ１５は、接触位置１２の電圧が低レベルから高レベルに変化したと検出したときに、対応するレベル変化信号（本文では、第２レベル変化信号と呼ばれる）を生成してもよい。ユーザ（例えば、管理者）は、当該第２レベル変化信号に基づいて、通信設備シングルボード１０が引き抜かれたことを特定可能である。
【００２６】
当該実施例の別の実施形態では、その動作原理の回路図は、図３Ｅに示されてもよい。通信設備シングルボード１０のコネクタの固定位置１１は、所定電源に接続され、接触位置１２は、接地されている。
【００２７】
当該実施形態では、通信設備シングルボード１０のコネクタが通信設備における対応するコネクタに接続されなかったときに、導電性弾性シート２０の内側の他方端２２は、通信設備シングルボード１０のコネクタの接触位置１２以外の領域に接触する。その際、論理チップ１５で検出された接触位置１２のレベルは、低レベルである。
【００２８】
通信設備シングルボード１０が通信設備に挿入され、通信設備シングルボード１０のコネクタと通信設備における対応するコネクタとの接続が徐々に緊密になるときに、導電性弾性シート２０の内側の他方端２２は、導電性弾性シート２０の受力によって徐々に接触位置１２へ近接する。通信設備シングルボード１０のコネクタが通信設備における対応するコネクタに正常に接続されたときに、即ち、通信設備シングルボード１０のコネクタと通信設備における対応するコネクタとの嵌合隙間が所定閾値範囲に達したときに、導電性弾性シート２０の内側の他方端２２は、接触位置１２に接触し、接触位置１２は、固定位置１１に正常に接続する。その際、論理チップ１５は、接触位置１２の電圧が低レベルから高レベルに変化して高レベル状態に維持されると検出する。
【００２９】
論理チップ１５は、接触位置１２の電圧が低レベルから高レベルに変化したと検出したときに、対応するレベル変化信号（本文では、第３レベル変化信号と呼ばれる）を生成してもよい。ユーザ（例えば、管理者）は、当該第３レベル変化信号に基づいて通信設備シングルボード１０の正常挿入を特定する。
【００３０】
説明すべきことは、通信設備シングルボード１０の挿入の過程中に、論理チップ１５で生成された第３レベル変化信号がずっと検出されなかった場合に、挿入の異常が発生したと特定可能である。その際、実際の状況に応じて対応する処理措置を行ってもよい。
【００３１】
当該実施形態では、通信設備シングルボード１０が正常動作状態において引き抜かれた（人為的動作または障害）ときに、導電性弾性シート２０の内側の他方端２２が通信設備シングルボード１０のコネクタと接触する領域は、徐々に接触位置１２から離れて固定位置１１へ近接する。通信設備シングルボード１０が引き抜かれるとともに、通信設備シングルボード１０のコネクタと通信設備における対応するコネクタとは、徐々に分離し、両者の嵌合隙間は、段々に大きくなる。通信設備１０のコネクタと通信設備における対応するコネクタとの嵌合隙間が所定閾値範囲の上限値を超えたときに、導電性弾性シート２０の内側の他方端２２は、接触位置１２に接触しなくなり、接触位置１２は、固定位置１１から切り離れる。その際、論理チップ１５は、接触位置１２の電圧が高レベルから低レベルに変化して低レベル状態に維持されると検出する。
【００３２】
論理チップ１５は、接触位置１２の電圧が高レベルから低レベルに変化したと検出したときに、対応するレベル変化信号（本文では、第４レベル変化信号と呼ばれる）を生成してもよい。ユーザ（例えば、管理者）は、当該第４レベル変化信号に基づいて、通信設備シングルボード１０が引き抜かれたことを特定する。
【００３３】
当該実施例において、接触位置１２のレベル変化を検出することにより、通信設備シングルボードが正常に挿入されたかそれとも引き抜かれたかを特定することが分かる。
【００３４】
実施例二
図４Ａは、本発明の実施例に係る通信設備シングルボードの構造模式図である。図４Ａに示すように、図３Ａに示す通信設備シングルボードを基に、当該通信設備シングルボード１０は、接触位置１３を更に含んでもよく、当該接触位置１３と固定位置１１とのレベルは、異なる。
【００３５】
固定位置１１が導電性弾性シート２０の内側の一方端２１を固定接続し、且つ通信設備シングルボードのコネクタと通信設備における対応するコネクタとの嵌合隙間が所定閾値範囲の上限値より大きくないときに、導電性弾性シート２０の内側の他方端２２は、接触位置１３に接触する。
【００３６】
当該実施例において、通信設備シングルボード１０のコネクタと通信設備における対応するコネクタとの嵌合状態をより正確に把握するために、通信設備シングルボード１０のコネクタに別の接触位置（即ち、図４Ａに示す接触位置１３）を設置する。接触位置１３は、接触位置１２よりも固定位置１１に近接し、且つ接触位置１３と固定位置１１とのレベルも異なる。
【００３７】
それ相応に、論理チップ１５は、接触位置１２と接触位置１３とにそれぞれ接続され、接触位置１２と接触位置１３のレベル状態変化を検出し、対応するレベル変化信号を生成してもよい。
【００３８】
当該実施例の中の１つの実施形態では、その動作原理の回路図は、図４Ｂに示されてもよい。通信設備シングルボード１０のコネクタの固定位置１１は、接地され、接触位置１２と接触位置１３は、所定電源に接続されている。
【００３９】
当該実施形態では、通信設備シングルボード１０のコネクタが通信設備における対応するコネクタに接続されていないときに、導電性弾性シート２０の内側の他方端２２は、通信設備シングルボード１０のコネクタの接触位置１３に接触し、その模式図が図４Ａに示されてもよい。その際、論理チップ１５で検出された接触位置１３のレベルは、低レベルであり、接触位置１２のレベルは、高レベルである。
【００４０】
通信設備シングルボード１０が通信設備に挿入され、通信設備シングルボード１０のコネクタと通信設備における対応するコネクタとの接続が開始したときに、導電性弾性シート２０の内側の他方端２２は、導電性弾性シート２０の受力によって徐々に接触位置１２へ近接する。通信設備シングルボード１０のコネクタと通信設備における対応するコネクタとの接続がある程度に達したときに、導電性弾性シート２０の内側の他方端２２は、接触位置１３に接触しなくなり、接触位置１３は、固定位置１１から切り離れる。論理チップ１５は、接触位置１３の電圧が低レベルから高レベルに変化して高レベル状態に維持され、接触位置１２は、依然として高レベル状態に維持されると検出する。
【００４１】
論理チップ１５は、接触位置１３の電圧が低レベルから高レベルに変化したと検出したときに、対応するレベル変化信号（本文では、第５レベル変化信号と呼ばれる）を生成してもよく、ユーザ（例えば、管理者）は、当該第５レベル変化信号に基づいて、通信設備シングルボード１０のコネクタが既に通信設備における対応するコネクタに接続されたが、完全な接続がまだ完了していない（即ち、嵌合不足状態であり、通信設備シングルボード１０のコネクタと通信設備における対応するコネクタとの嵌合隙間が所定閾値範囲の上限値より大きい）と特定する。
【００４２】
通信設備シングルボード１０の継続的な挿入とともに、通信設備シングルボード１０のコネクタと通信設備における対応するコネクタとの接続は、徐々に緊密になり、導電性弾性シート２０の内側の他方端２２は、引き続き接触位置１２へ近接する。通信設備シングルボード１０のコネクタが通信設備における対応するコネクタに正常に接続されたときに、即ち、通信設備シングルボード１０のコネクタと通信設備における対応するコネクタとの嵌合隙間が所定閾値範囲に達したときに、導電性弾性シート２０の内側の他方端２２は、接触位置１２に接触し、接触位置１２は、固定位置１１に正常に接続し、その模式図が図４Ｃに示されてもよい。その際、論理チップ１５は、接触位置１２の電圧が高レベルから低レベルに変化して低レベル状態に維持され、接触位置１３は、高レベルに維持されると検出する。その回路図が図４Ｄに示されてもよい。
【００４３】
論理チップ１５は、接触位置１２の電圧が高レベルから低レベルに変化したと検出したときに、対応するレベル変化信号（本文では、第６レベル変化信号と呼ばれる）を生成してもよく、ユーザ（例えば、管理者）は、当該第６レベル変化信号に基づいて通信設備シングルボード１０の正常挿入を特定する。
【００４４】
説明すべきことは、当該実施形態において、通信設備シングルボード１０が引き抜かれた時の接触位置１２および接触位置１３のレベル状態変化が通信設備シングルボード１０の挿入時とは逆であり、その具体的な実施についてここで繰り返し説明しない。
【００４５】
当該実施例の別の実施形態では、その動作原理の回路図が図４Ｅに示されてもよい。通信設備シングルボード１０のコネクタの固定位置１１は、所定電源に接続され、接触位置１２と接触位置１３は、接地されている。
【００４６】
当該実施形態では、通信設備シングルボード１０のコネクタが通信設備における対応するコネクタに接続されていないときに、導電性弾性シート２０の内側の他方端２２は、通信設備シングルボード１０のコネクタの接触位置１３に接触する。その際、論理チップ１５は、接触位置１３のレベルが高レベルであり、接触位置１２のレベルが低レベルであることを検出する。
【００４７】
通信設備シングルボード１０が通信設備に挿入され、通信設備シングルボード１０のコネクタと通信設備における対応するコネクタとの接続が開始したときに、導電性弾性シート２０の内側の他方端２２は、導電性弾性シート２０の受力によって徐々に接触位置１２へ近接する。通信設備シングルボード１０のコネクタと通信設備における対応するコネクタとの接続がある程度に達したときに、導電性弾性シート２０の内側の他方端２２は、接触位置１３に接触しなくなり、接触位置１３は、固定位置１１から切り離れる。論理チップ１５は、接触位置１３の電圧が高レベルから低レベルに変化して低レベル状態に維持され、接触位置１２は、依然として低レベル状態に維持されると検出する。
【００４８】
論理チップ１５は、接触位置１３の電圧が高レベルから低レベルに変化したと検出したときに、対応するレベル変化信号（本文では、第７レベル変化信号と呼ばれる）を生成してもよく、ユーザ（例えば、管理者）は、当該第７レベル変化信号に基づいて、通信設備シングルボード１０のコネクタが既に通信設備における対応するコネクタに接続されたが、完全な接続がまだ完了していないと特定する。
【００４９】
通信設備シングルボード１０の継続的な挿入とともに、通信設備シングルボード１０のコネクタと通信設備における対応するコネクタとの接続は、徐々に緊密になり、導電性弾性シート２０の内側の他方端２２は、引き続き接触位置１２へ近接する。通信設備シングルボード１０のコネクタが通信設備における対応するコネクタに正常に接続されたときに、即ち、通信設備シングルボード１０のコネクタと通信設備における対応するコネクタとの嵌合隙間が所定閾値範囲に達したときに、導電性弾性シート２０の内側の他方端２２は、接触位置１２に接触し、接触位置１２は、固定位置１１に正常に接続する。その際、論理チップ１５は、接触位置１２の電圧が低レベルから高レベルに変化して低レベル状態に維持され、接触位置１３は、低レベルに維持されると検出する。
【００５０】
論理チップ１５は、接触位置１２の電圧が高レベルから低レベルに変化したと検出したときに、対応するレベル変化信号（本文では、第８レベル変化信号と呼ばれる）を生成してもよく、ユーザ（例えば、管理者）は、当該第８レベル変化信号に基づいて通信設備シングルボード１０の正常挿入を特定する。
【００５１】
説明すべきことは、当該実施形態において、通信設備シングルボード１０が引き抜かれた時の接触位置１２および接触位置１３のレベル状態変化が通信設備シングルボード１０の挿入時とは逆であり、その具体的な実施についてここで繰り返し説明しない。
【００５２】
当該実施例において、接触位置１２および接触位置１３のレベル変化を検出することにより、通信設備シングルボード１０が正常に挿入されたかそれとも嵌合不足状態であるかを特定することが分かる。
【００５３】
実施例三
図５Ａは、本発明の実施例に係る通信設備シングルボードの構造模式図である。図５Ａに示すように、図３Ａに示す通信設備シングルボードを基に、当該通信設備シングルボード１０は、接触位置１４を更に備え、当該接触位置１４と固定位置１１とのレベルは、異なる。
【００５４】
固定位置１１が導電性弾性シート２０の内側の一方端２１を固定接続し、且つ通信設備シングルボード１０のコネクタと通信設備における対応するコネクタとの嵌合隙間が所定閾値範囲の下限値より小さいときに、導電性弾性シート２０の内側の他方端２２は、接触位置１４に接触する。
【００５５】
当該実施例において、通信設備シングルボード１０のコネクタと通信設備における対応するコネクタとの嵌合状態をより正確に把握するために、通信設備シングルボード１０のコネクタに別の接触位置（即ち、図５Ａに示す接触位置１４）を設置してもよく、接触位置１４は、接触位置１２よりも固定位置１１から離れ、且つ接触位置１４と固定位置１１とのレベルも異なる。
【００５６】
それ相応に、論理チップ１５は、接触位置１２と接触位置１４とにそれぞれ接続され、接触位置１２と接触位置１４のレベル状態変化を検出し、対応するレベル変化信号を生成してもよい。
【００５７】
当該実施例の中の１つの実施形態では、その動作原理の回路図が図５Ｂに示されてもよい。通信設備シングルボード１０のコネクタの固定位置１１は、接地され、接触位置１２と接触位置１４は、所定電源に接続されている。
【００５８】
当該実施形態では、通信設備シングルボード１０が通信設備に挿入され、通信設備シングルボード１０のコネクタと通信設備における対応するコネクタとの接続が徐々に緊密になるときに、導電性弾性シート２０の内側の他方端２２は、導電性弾性シート２０の受力によって接触位置１２へ徐々に近接する。通信設備シングルボード１０のコネクタと通信設備における対応するコネクタとが正常に接続されたときに、即ち、通信設備シングルボード１０のコネクタと通信設備における対応するコネクタとの嵌合隙間が所定閾値範囲に達したときに、導電性弾性シート２０の内側の他方端２２は、接触位置１２に接触し、接触位置１２は、固定位置１１正常に接続する。その模式図は、図５Ｃに示されてもよい。その際、論理チップ１５は、接触位置１２の電圧が高レベルから低レベルに変化して低レベル状態に維持され、接触位置１４は、依然として高レベルであると検出する。その回路図が図５Ｄに示されてもよい。
【００５９】
論理チップ１５は、接触位置１２の電圧が高レベルから低レベルに変化したと検出したときに、対応するレベル変化信号（本文では、第９レベル変化信号と呼ばれる）を生成してもよい。ユーザ（例えば、管理者）は、当該第９レベル変化信号に基づいて、通信設備シングルボード１０の正常挿入を特定する。
【００６０】
当該実施形態では、ユーザ（例えば、管理者）が通信設備シングルボード１０の正常挿入後で挿入動作を維持し続けると、導電性弾性シート２０の内側の他方端２２は、徐々に接触位置１４へ近接する。通信設備シングルボード１０のコネクタと通信設備における対応するコネクタとが嵌合過剰状態（即ち、通信設備シングルボード１０のコネクタと通信設備における対応するコネクタの嵌合隙間とが所定閾値下限値より小さい）であるときに、導電性弾性シート２０の内側の他方端２２は、接触位置１２に接触しなくなり、接触位置１４に接触するようになる。その際、接触位置１４は、固定位置１１に繋がり、その模式図が図５Ｅに示されてもよい。その際、論理チップ１５は、接触位置１４の電圧が高レベルから低レベルに変化して低レベル状態に維持され、接触位置１２は、高レベルに変化したと検出する。その回路図が図５Ｆに示されてもよい。
【００６１】
論理チップ１５は、接触位置１４の電圧が高レベルから低レベルに変化したと検出したときに、対応するレベル変化信号（本文では、第１０レベル変化信号と呼ばれる）を生成してもよく、ユーザ（例えば、管理者）は、当該第１０レベル変化信号に基づいて通信設備シングルボード１０の挿入過剰を特定する。
【００６２】
説明すべきことは、当該実施形態において、通信設備シングルボード１０が引き抜かれた時の接触位置１２および接触位置１４のレベル状態変化が通信設備シングルボード１０の挿入時とは逆であり、その具体的な実施についてここで繰り返し説明しない。
【００６３】
当該実施例の別の実施形態では、その動作原理の回路図が図５Ｇに示されてもよい。通信設備シングルボード１０のコネクタの固定位置１１は、所定電源に接続され、接触位置１２と接触位置１４は、接地されている。
【００６４】
当該実施形態では、通信設備シングルボード１０が挿入された時の接触位置１２および接触位置１４のレベル状態変化と、一つ前の実施形態における通信設備シングルボード１０が挿入された時の接触位置１２および接触位置１４のレベル状態変化とが逆である。同様に、通信設備シングルボード１０が引き抜かれた時の接触位置１２および接触位置１４のレベル状態変化と、一つ前の実施形態における通信設備シングルボード１０が引き抜かれた時の接触位置１２および接触位置１４のレベル状態変化とが逆である。その具体的な実施についてここで繰り返し説明しない。
【００６５】
当該実施例において、接触位置１２及び接触位置１４のレベル変化を検出することにより、通信設備シングルボードが正常に挿入されたかそれとも嵌合過剰状態であるかを特定することが分かる。
【００６６】
実施例四
図６Ａは、本発明の実施例に係る通信設備シングルボードの構造模式図である。図６Ａに示すように、図３Ａに示す通信設備シングルボードを基に、当該通信設備シングルボード１０は、接触位置１３と接触位置１４を含んでもよい。当該接触位置１３および接触位置１４の何れかでのレベルが固定位置１１のレベルと異なる。
【００６７】
固定位置１１が導電性弾性シート２０の内側の一方端２１を固定接続し、且つ通信設備シングルボード１０のコネクタと通信設備における対応するコネクタとの嵌合隙間が所定閾値範囲の上限値より大きいときに、導電性弾性シート２０の内側の他方端２２は、接触位置１３に接触する。
【００６８】
固定位置１１が導電性弾性シート２０の内側の一方端２１を固定接続し、且つ通信設備シングルボード１０のコネクタと通信設備における対応するコネクタとの嵌合隙間が所定閾値範囲の下限値より小さいときに、導電性弾性シート２０の内側の他方端２２は、接触位置１４に接触する。
【００６９】
当該実施例における１つの実施形態では、その動作原理の回路図は、図６Ｂに示されてもよい。通信設備シングルボード１０のコネクタの固定位置１１は、接地され、接触位置１２、接触位置１３と接触位置１４は、所定電源に接続されている。
【００７０】
当該実施形態では、通信設備シングルボード１０の挿入の過程中に、導電性弾性シート２０の内側の他方端２２と通信設備シングルボード１０のコネクタとの接触は、それぞれ図６Ａ、図６Ｃと図６Ｄに示され、回路図の接続関係は、それぞれ図６Ｂ、図６Ｅと図６Ｆに示される。図６Ａは、図６Ｂに対応し、図６Ｃは、図６Ｅに対応し、図６Ｄは、図６Ｆに対応する。
【００７１】
通信設備シングルボード１０の挿入の過程中に、各接触位置１２、１３、１４のレベル変化は、それぞれ実施例二と実施例三における関連技術を参照すればよいため、本発明の実施例ではここで繰り返し説明しない。
【００７２】
説明すべきことは、通信設備シングルボード１０が引き抜かれたときの接触位置１２、接触位置１３と接触位置１４のレベル状態変化が通信設備シングルボード１０の挿入時とは逆であり、その具体的な実施についてここで繰り返し説明しない。
【００７３】
当該実施例の別の実施形態では、その動作原理の回路図は、図６Ｇに示される。通信設備シングルボード１０のコネクタの固定位置１１は、所定電源に接続され、接触位置１２、接触位置１３および接触位置１４は、接地されている。
【００７４】
当該実施形態では、通信設備シングルボード１０の挿入時の接触位置１２、接触位置１３および接触位置１４のレベル状態変化が、一つ前の実施形態における通信設備シングルボード１０の挿入時の接触位置１２、接触位置１３および接触位置１４のレベル状態変化とは逆であり、その具体的な実施についてここで繰り返し説明しない。同様に、通信設備シングルボード１０の引き抜かれた時の接触位置１２、接触位置１３および接触位置１４のレベル状態変化が一つ前の実施形態における通信設備シングルボード１０の引き抜かれた時の接触位置１２、接触位置１３および接触位置１４のレベル状態変化とは逆であり、その具体的な実施についてここで繰り返し説明しない。
【００７５】
当該実施例において、接触位置１２、接触位置１３および接触位置１４のレベル変化を検出することにより、通信設備シングルボードが正常に挿入されたか、それとも、嵌合過剰状態であるか、それとも嵌合不足状態であるかを特定することが分かる。
【００７６】
なお、上記各実施例が単に通信設備シングルボード１０のコネクタに接触位置を設置する何種類かの具体的な例示に過ぎず、本発明保護範囲に対する制限とはならない。本発明の実施例では、通信設備シングルボード１０のコネクタに４つまたは４つ以上の接触位置が設置されてもよい。このように、各接触位置のレベル変化を検出することにより、通信設備シングルボード１０の挿入状態をより正確に把握することができ、その具体的な実施は、ここで繰り返し説明しない。
【００７７】
本発明における１つの実施例では、論理チップ１５は、検出された各接触位置のレベル変化に基づいて対応するレベル変化信号を生成した後、生成されたレベル変化信号をレジスタに保存してもよい。このように、ユーザ（例えば、管理者）は、対応する制御指令に従って、ＣＰＵ（Ｃｅｎｔｅｒ Ｐｒｏｃｅｓｓ Ｕｎｉｔ、中央処理装置）が対応するレベル変化信号をレジスタから読み取ってユーザへ示すように制御する。これにより、ユーザは、当該レベル変化信号を閲覧し、通信設備シングルボードの挿入状態を正確に把握することができる。
【００７８】
本発明の別の実施例では、論理チップ１５は、検出された各接触位置のレベル変化に基づいて対応するレベル変化信号を生成した後、当該レベル変化信号を直接出力する。例えば、論理チップ１５は、生成されたレベル変化信号をＣＰＵへ出力する。ＣＰＵは、指定の機能インターフェースにおいてユーザへ示す。このように、ユーザは、通信設備シングルボードの挿入状態を正確に把握できる。
【００７９】
上述から分かるように、本発明の実施例に係る技術案では、通信設備シングルボードのコネクタにレベルの異なる固定位置と接触位置とを設け、当該固定位置に導電性弾性シートの内側の一方端を固定接続し、通信設備シングルボードのコネクタと通信設備における対応するコネクタとの嵌合隙間が所定閾値範囲に属するときに、導電性弾性シートの内側の他方端を接触位置１２に接触させることにより、接触位置１２のレベル変化に基づいて、通信設備シングルボードが正常に挿入されたか否かを特定する。
【００８０】
更に、本発明の実施例は、通信設備を更に提供する。当該通信設備は、上記何れかの実施例に記載の通信設備シングルボードを備えてもよい。
【００８１】
当業者は、明細書を考慮し、且つここで開示された発明を実践した後、本発明の他の実施案を容易に想到し得る。本願は、本発明の如何なる変形、用途または適応的変化もカバーすることを意図し、これらの変形、用途または適応的変化は、本発明の一般的な原理に従い、本発明に公開されていない本技術分野における公知常識や慣用技術手段も含む。明細書と実施例は、単に例示と見なされ、本発明の真の範囲と精神は、請求項によって示される。
【００８２】
本発明が以上で記述され且つ図面に示された正確な構造に限定されず、その範囲を逸脱しないで種々の変更と改善が可能であることは、理解されるべきである。本発明の範囲は、添付する請求項のみで限定される。
【図１】
0006971393.tif 000002
【図２】
0006971393.tif 000003
【図３Ａ】
0006971393.tif 000004
【図３Ｂ】
0006971393.tif 000005
【図３Ｃ】
0006971393.tif 000006
【図３Ｄ】
0006971393.tif 000007
【図３Ｅ】
0006971393.tif 000008
【図４Ａ】
0006971393.tif 000009
【図４Ｂ】
0006971393.tif 000010
【図４Ｃ】
0006971393.tif 000011
【図４Ｄ】
0006971393.tif 000012
【図４Ｅ】
0006971393.tif 000013
【図５Ａ】
0006971393.tif 000014
【図５Ｂ】
0006971393.tif 000015
【図５Ｃ】
0006971393.tif 000016
【図５Ｄ】
0006971393.tif 000017
【図５Ｅ】
0006971393.tif 000018
【図５Ｆ】
0006971393.tif 000019
【図５Ｇ】
0006971393.tif 000020
【図６Ａ】
0006971393.tif 000021
【図６Ｂ】
0006971393.tif 000022
【図６Ｃ】
0006971393.tif 000023
【図６Ｄ】
0006971393.tif 000024
【図６Ｅ】
0006971393.tif 000025
【図６Ｆ】
0006971393.tif 000026
【図６Ｇ】
0006971393.tif 000027